(57)【特許請求の範囲】
【請求項１】
ポータブル端末でサービス実行に対する短縮サービスを提供するための方法であって、
アプリケーションを駆動中に他のアプリケーションを駆動するための短縮サービスのボタンとしてマッピング可能な短縮サービス設定領域を表示する段階と、
前記短縮サービス設定領域を使用して前記ポータブル端末で提供される前記他のアプリケーションによる少なくとも一つのサービスを前記短縮サービスのボタンにマッピングする段階と、
前記短縮サービスのボタンの入力によって前記他のアプリケーションによる少なくとも一つのサービスを実行する段階と、を備え、
前記マッピングする段階は、前記短縮サービスのボタン入力の回数または前記短縮サービスのボタン入力の持続時間を考慮してマッピングするサービスを確認する段階を含み、
前記マッピングする段階の前に、前記サービスをマッピングする前記短縮サービスのボタンを確認する段階を更に備えることを特徴とするポータブル端末でサービス実行に対する短縮サービスを提供するための方法。
【請求項２】
前記短縮サービスは、アプリケーションの駆動短縮サービス及び制御モード設定の短縮サービスの内の少なくとも一つを備えることを特徴とする請求項１に記載のポータブル端末でサービス実行に対する短縮サービスを提供するための方法。
【請求項３】
前記制御モード設定は、無線インターネットの設定、ブルートゥース（登録商標）の設
定、位置サービスの設定、及び自動画面回転の設定の内の少なくとも一つを備えることを特徴とする請求項２に記載のポータブル端末でサービス実行に対する短縮サービスを提供するための方法。
【請求項４】
前記マッピングする段階の前に、前記短縮サービスを実行するためのアプリケーションを確認する段階をさらに備えることを特徴とする請求項１に記載のポータブル端末でサービス実行に対する短縮サービスを提供するための方法。
【請求項５】
前記マッピングする段階の前に、短縮サービスを提供するための前記アプリケーションを確認する段階をさらに備えることを特徴とする請求項４に記載のポータブル端末でサービス実行に対する短縮サービスを提供するための方法。
【請求項６】
前記実行する段階は、
前記短縮サービスのボタンが入力された場合、前記短縮サービスのボタンにマッピングされたサービスを確認する段階と、
前記確認したサービスを実行する段階と、を備えることを特徴とする請求項１に記載のポータブル端末でサービス実行に対する短縮サービスを提供するための方法。
【請求項７】
前記実行する段階は、前記短縮サービスのボタンが入力された場合、前記短縮サービスのボタン入力の回数に応じてマッピングされたサービスを実行する段階とを含むことを特徴とする請求項１に記載のポータブル端末でサービス実行に対する短縮サービスを提供するための方法。
【請求項８】
前記実行する段階は、前記短縮サービスのボタンが入力された場合、前記短縮サービスのボタン入力の持続時間に応じてマッピングされたサービスを実行する段階とを含むことを特徴とする請求項１に記載のポータブル端末でサービス実行に対する短縮サービスを提供するための方法。
【請求項９】
前記短縮サービスのボタンは、前記ポータブル端末に備えられる少なくとも一つのボタンの中から前記短縮サービスのためのサービスをマッピングすることができる少なくとも一つのボタンを備え、あるいは、前記ポータブル端末がタッチスクリーンを備える場合、タッチスクリーンを通じて示すことができる少なくとも一つのソフトウェアボタン及び少なくとも一つのアイコンを備えることを特徴とする請求項１に記載のポータブル端末でサービス実行に対する短縮サービスを提供するための方法。
【請求項１０】
ポータブル端末で短縮サービスを提供するための装置であって、
表示部と、
少なくとも一つの短縮サービスのボタンと、
前記表示部にアプリケーションを駆動中に他のアプリケーションを駆動するための短縮サービスのボタンとしてマッピング可能な短縮サービス設定領域を表示し、前記短縮サービス設定領域を使用して前記ポータブル端末で提供される前記他のアプリケーションによる少なくとも一つのサービスを前記短縮サービスのボタンにマッピングし、前記短縮サービスのボタンの入力によって前記他のアプリケーションによる少なくとも一つのサービスを実行する制御部と、を備え、
前記制御部は、更に前記ポータブル端末に備えられる少なくとも一つのボタンの中でサービスをマッピングすることができる少なくとも一つのボタンを確認し、前記短縮サービスのボタン入力の回数または前記短縮サービスのボタン入力の持続時間を考慮してマッピングするサービスを確認することを特徴とするポータブル端末でサービス実行に対する短縮サービスを提供するための装置。
【請求項１１】
前記短縮サービスは、アプリケーションの駆動短縮サービス及び制御モード設定の短縮サービスの内の少なくとも一つを備えることを特徴とする請求項１０に記載のポータブル端末でサービス実行に対する短縮サービスを提供するための装置。
【請求項１２】
前記制御モードは、無線インターネットの設定、ブルートゥース（登録商標）の設定、位置サービスの設定、及び自動画面回転の設定の内の少なくとも一つを備えることを特徴とする請求項１１に記載のポータブル端末でサービス実行に対する短縮サービスを提供するための装置
【請求項１３】
前記制御部は、前記短縮サービスを実行するためのアプリケーションを更に確認することを特徴とする請求項１０に記載のポータブル端末でサービス実行に対する短縮サービスを提供するための装置。
【請求項１４】
前記制御部は、前記短縮サービスのボタンが入力された場合、前記短縮サービスのボタンにマッピングされたサービスを更に実行することを特徴とする請求項１０に記載のポータブル端末でサービス実行に対する短縮サービスを提供するための装置。
【請求項１５】
前記制御部は、前記短縮サービスのボタンが入力された場合、前記短縮サービスのボタン入力の回数に応じてマッピングされたサービスを更に実行することを特徴とする請求項１０に記載のポータブル端末でサービス実行に対する短縮サービスを提供するための装置。
【請求項１６】
前記制御部は、前記短縮サービスのボタンが入力された場合、前記短縮サービスのボタン入力の持続時間に応じてマッピングされたサービスを更に実行することを特徴とする請求項１０に記載のポータブル端末でサービス実行に対する短縮サービスを提供するための装置。
【請求項１７】
前記短縮サービスのボタンは、前記ポータブル端末に備えられる少なくとも一つのボタンの中から前記短縮サービスのためのサービスをマッピングすることができる少なくとも一つのボタンを備え、あるいは、前記ポータブル端末がタッチスクリーンを備える場合、タッチスクリーンを通じて示すことができる少なくとも一つのソフトウェアボタン及び少なくとも一つのアイコンを備えることを特徴とする請求項１０に記載のポータブル端末でサービス実行に対する短縮サービスを提供するための装置。
【発明の詳細な説明】
【技術分野】
【０００１】
本発明は、ポータブル端末に関し、特に、ポータブル端末で短縮サービスを提供するための方法及び装置に関するのである。
【背景技術】
【０００２】
ポータブル端末のユーザーの数が急激に増加することによって、ポータブル端末の事業者たちはより多いユーザーを確保するために多様なサービスを提供している。
例えば、ポータブル端末は一般的な通話機能に加えて電子手帳、インターネット検索、デジタルマルチメディア放送受信、ストリーミングサービス、動画再生、ゲームなどのような多様なアプリケーションを提供する。
【０００３】
ポータブル端末のユーザーが使用中のアプリケーションを他のアプリケーションに切り替える場合、ユーザーは他のアプリケーションを実行するためにポータブル端末を多数回操作しなければならないという問題がある。
例えば、ユーザーが動画再生プログラムを使用の中にインターネットの検索が必要な場合、ユーザーは動画再生プログラムを終了した後、インターネット検索プログラムを選択して実行する多数回の操作をしなければならない。
【０００４】
また、ポータブル端末のユーザーは多数回の操作を通じて無線インターネットの設定、ブルートゥース（登録商標）の設定、位置サービスの設定、自動画面回転の設定などの制御モードを設定しなければならないという問題がある。
例えば、ユーザーが動画再生プログラムを実行の中に自動画面回転の設定をする場合、ユーザーはクイックパネルを通じて自動画面回転の設定をした後、動画再生プログラムを実行しなければならない。
従って、ポータブル端末でユーザーが必要なアプリケーションを簡単に実行することができるし、制御モードを手軽く設定することができるユーザーインターフェースを要求されている。
【先行技術文献】
【特許文献】
【０００５】
【特許文献１】韓国特許出願公開第１０−２００８−００８８７３２号明細書
【発明の概要】
【発明が解決しようとする課題】
【０００６】
本発明は上記従来のポータブル端末における問題点に鑑みてなされたものであって、本発明の目的は、ポータブル端末でアプリケーションの駆動短縮サービスを提供するための装置及びその方法を提供することにある。
【０００７】
本発明の他の目的は、アプリケーションを駆動しているポータブル端末で他のアプリケーションの駆動のための短縮サービスを提供するための装置及びその方法を提供することにある。
本発明のまた他の目的は、ポータブル端末で短縮サービスのボタン入力の回数を考慮してアプリケーションの駆動短縮サービスを提供するための装置及び方法を提供することにある。
本発明のまた他の目的は、ポータブル端末で短縮サービスのボタン入力の持続時間を考慮してアプリケーションの駆動短縮サービスを提供するための装置及びその方法を提供することにある。
本発明の他の目的は、ポータブル端末で制御モード設定の短縮サービスを提供するための装置及びその方法を提供することにある。
本発明のまた他の目的は、アプリケーションを駆動しているポータブル端末で制御モードの設定のための短縮サービスを提供するための装置及びその方法を提供することにある。
本発明のまた他の目的は、ポータブル端末で短縮サービスのボタン入力の回数を考慮して制御モード設定の短縮サービスを提供するための装置及びその方法を提供することにある。
本発明のまた他の目的は、ポータブル端末で短縮サービスのボタン入力の持続時間を考慮して制御モード設定の短縮サービスを提供するための装置及びその方法を提供することにある。
【課題を解決するための手段】
【０００８】
上記目的を達成するためになされた本発明によるポータブル端末でサービス実行に対する短縮サービスを提供するための方法は、ポータブル端末でサービス実行に対する短縮サービスを提供するための方法において、短縮サービスボタンとしてマッピング可能な短縮サービス設定領域を表示する段階と、前記短縮サービス設定領域を使用して前記ポータブル端末で提供される少なくとも一つのサービスを前記短縮サービスボタンにマッピングする段階と、前記短縮サービスボタンの入力によって少なくとも１つのサービスを実行する段階と、を備えることを特徴とする。
【０００９】
上記目的を達成するためになされた本発明によるポータブル端末でサービス実行に対する短縮サービスを提供するための装置は、ポータブル端末で短縮サービスを提供するための装置において、表示部と、少なくとも一つの短縮サービスボタンと、前記表示部に短縮サービスボタンとしてマッピング可能な短縮サービス設定領域を表示し、前記短縮サービス設定領域を使用して前記ポータブル端末で提供される少なくとも一つのサービスを前記短縮サービスボタンにマッピングし、前記短縮サービスボタンの入力によって少なくとも１つのサービスを実行する制御部と、を備えることを特徴とする。
【発明の効果】
【００１０】
本発明に係るポータブル端末でサービス実行に対する短縮サービスを提供するための方法及びその装置によれば、ポータブル端末で短縮サービスのボタン入力イベントが発生した場合、短縮サービスのボタンにマッピングされたアプリケーションを駆動することで、ポータブル端末でユーザーが必要なアプリケーションを簡単に駆動または設定することができるという効果がある。
また、ポータブル端末で短縮サービスのボタン入力イベントが発生した場合、短縮サービスのボタンにマッピングされた制御モードを設定することで、ポータブル端末でユーザーが必要な制御モードを簡単に設定することができるという効果がある。
【図面の簡単な説明】
【００１１】
【図１】本発明によるポータブル端末の構成を示すブロック図である。
【図２】本発明の実施形態によるポータブル端末でアプリケーションの駆動短縮サービスを設定するための手続きを説明するためのフローチャートである。
【図３】本発明の実施形態によるポータブル端末でアプリケーションの駆動短縮サービスのための短縮サービスのボタンを確認するための手続きを説明するためのフローチャートである。
【図４】本発明の実施形態によるアプリケーションを駆動しているポータブル端末で他のアプリケーションの駆動のための短縮サービスを設定するための手続きを説明するためのフローチャートである。
【図５】本発明の実施形態によるポータブル端末でアプリケーションの駆動短縮サービスを提供するための手続きを説明するためのフローチャートである。
【図６】本発明の実施形態によるポータブル端末で短縮サービスのボタン入力の回数を考慮してアプリケーションの駆動短縮サービスを提供するための手続きを説明するためのフローチャートである。
【図７】本発明の実施形態によるポータブル端末で短縮サービスのボタン入力の持続時間を考慮してアプリケーションの駆動短縮サービスを提供するための手続きを説明するためのフローチャートである。
【図８】本発明の実施形態によるアプリケーションを駆動しているポータブル端末で他のアプリケーションの駆動のための短縮サービスを提供するための手続きを説明するためのフローチャートである。
【図９】本発明の実施形態によるポータブル端末で制御モード設定の短縮サービスを設定するための手続きを説明するためのフローチャートである。
【図１０】本発明の実施形態によるポータブル端末で制御モード設定の短縮サービスを設定する画面を示す図である。
【図１１】本発明の実施形態によるポータブル端末で制御モード設定の短縮サービスのための短縮サービスのボタンを確認するための手続きを説明するためのフローチャートである。
【図１２】本発明の実施形態によるアプリケーションを駆動しているポータブル端末で制御モード設定のための短縮サービスを設定するための手続きを説明するためのフローチャートである。
【図１３】本発明の実施形態によるポータブル端末で制御モード設定の短縮サービスを提供するための手続きを説明するためのフローチャートである。
【図１４】本発明の実施形態によるポータブル端末で短縮サービスのボタン入力の回数を考慮して制御モード設定の短縮サービスを提供するための手続きを説明するためのフローチャートである。
【図１５】本発明の実施形態によるポータブル端末で短縮サービスのボタン入力の持続時間を考慮して制御モード設定の短縮サービスを提供するための手続きを説明するためのフローチャートである。
【図１６】本発明の実施形態によるアプリケーションを駆動しているポータブル端末で制御モード設定の短縮サービスを提供するための手続きを説明するためのフローチャートである。
【発明を実施するための形態】
【００１２】
次に、本発明に係るポータブル端末でサービス実行に対する短縮サービスを提供するための方法及びその装置を実施するための形態の具体例を図面を参照しながら説明する。
【００１３】
本発明の説明において、係わる公知機能あるいは構成に対する具体的な説明が本発明の要旨を不必要に濁すことができると判断された場合、その詳細な説明は略する。そして、後述される用語は本発明での機能を考慮して定義された用語としてこれはユーザー、運用者の意図または慣例などによって変わることができる。従って、その定義は本明細書の全般にわたっている内容に基づいてしななければならない。
【００１４】
以下、本発明はポータブル端末でサービス実行に対する短縮サービスを提供するための技術に対して説明する。
以下の説明で、サービス実行に対する短縮サービスは、アプリケーションの駆動短縮サービスと制御モード設定の短縮サービスを備える。この時、アプリケーションはフォーンブック、ゲーム、短文メッセージサービス、マルチメディアメッセージサービス、電子メール、モーニングコール、ＭＰ３、日程管理、カメラ、無線インターネットサービスなどを備える。また、制御モード設定は無線インターネットの設定、ブルートゥース（登録商標）の設定、位置サービスの設定、自動画面回転の設定などを含む。
【００１５】
以下の説明で、ポータブル端末は、ＰＤＡ、ラップトップ、スマートフォン  、ネットブック、携帯インターネット装置（ＭＩＤ：Ｍｏｂｌｉｅ  Ｉｎｔｅｒｎｅｔ  Ｄｅｖｉｃｅ）、ウルトラモバイルＰＣ（ＵＭＰＣ：Ｕｌｔｒａ  Ｍｏｂｉｌｅ  Ｐｅｒｓｏｎａｌ  Ｃｏｍｐｕｔｅｒ）、タブレットＰＣ（Ｔａｂｌｅｔ  Ｐｅｒｓｏｎａｌ  Ｃｏｍｐｕｔｅｒ）などを含む。
【００１６】
図１は、本発明によるポータブル端末の構成を示すブロック図である。
図に示すようにポータブル端末は、制御部１００、入力部１０２、通信部１０４、表示部１０６、保存部１０８、及びオーディオ信号処理部１１０を備える。
【００１７】
制御部１００は、ポータブル端末の全体的な動作を制御する。
制御部１００は、ポータブル端末のサービス実行に対する短縮サービスを設定するよう制御する。
例えば、短縮サービス設定イベントが発生した場合、制御部１００は短縮サービスのボタンにマッピング可能なアプリケーションリストを表示部１０６に表示するよう制御する。
以後、制御部１００は、表示部１０６に表示されたアプリケーションリストの中から選択されるアプリケーションを短縮サービスのボタンにマッピングするアプリケーションと認識する。
【００１８】
別の例として、制御部１００は、アプリケーションを駆動中に他のアプリケーションの駆動のための短縮サービスを設定するよう制御することもできる。
また別の例として、短縮サービス設定イベントが発生した場合、制御部１００は短縮サービスのボタンにマッピング可能な制御モードリストを表示部１０６に表示するよう制御する。
以後、制御部１００は表示部１０６に表示された制御モードリストの中から選択される制御モードを短縮サービスのボタンにマッピングする制御モードと認識する。
別の例として、制御部１００はアプリケーションを駆動中に制御モード設定のための短縮サービスを設定するよう制御することもできる。
【００１９】
制御部１００は、ポータブル端末のサービス実行に対する短縮サービスを提供するように制御する。
例えば、短縮サービスのボタン入力イベントが発生した場合、制御部１００は短縮サービスのボタンにマッピングされたアプリケーションを駆動するよう制御する。
別の例として、制御部１００はアプリケーションを駆動中に短縮サービスのボタン入力イベントが発生した場合、制御部１００は短縮サービスのボタンにマッピングされた他のアプリケーションを駆動するよう制御することもできる。
また別の例として、短縮サービスのボタン入力イベントが発生した場合、制御部１００は短縮サービスのボタンにマッピングされた制御モードを設定するように制御する。
別の例として、制御部１００はアプリケーションを駆動中に短縮サービスのボタン入力イベントが発生した場合、制御部１００は短縮サービスのボタンにマッピングされた制御モードを設定するように制御することもできる。
【００２０】
入力部１０２は、ユーザーの選択によって発生する入力データを制御部１００に提供する。
例えば、入力部１０２は、ポータブル端末の制御のためのボタンを備える。
別の例として、入力部１０２は、表示部１０６とは別に、ユーザーから入力データの提供を受けるためのキーパッドが備えら得る。
【００２１】
通信部１０４は、音声及びデータ通信のためにアンテナで送受信される信号を処理する。
表示部１０６は、情報の表示機能を実行する。
これによって、表示部１０６は、制御部１００の制御によってポータブル端末の状態情報、ユーザーが入力する文字、動画像及び静止画像などを表示する。もし、表示部１０６がタッチスクリーンで構成される場合、表示部１０６は情報の表示外に入力手段の機能を備える。
【００２２】
保存部１０８は、ポータブル端末の動作を制御するためのプログラムを保存するプログラム保存部１１２及びプログラム実行の中に発生するデータを保存するデータ保存部で構成され得る。
例えば、データ保存部は、制御部１００の制御によって短縮サービスのボタンと短縮サービスのボタンにマッピングされたアプリケーション情報を保存する。
また、データ保存部は、制御部１００の制御によって短縮サービスのボタンと短縮サービスのボタンにマッピングされた制御モード情報を保存することもできる。
別の例として、プログラム保存部１１２は、制御部１００で短縮サービスを提供するための命令語たちの集合である、命令セット又はプログラムを保存する。
【００２３】
オーディオ信号処理部１１０は、オーディオ信号の入出力を制御する。
例えば、オーディオ信号処理部１１０は、制御部１００から提供されたオーディオ信号をスピーカーを通じて外部に送出し、マイクから提供されたオーディオ信号を制御部１００に提供する。
【００２４】
図２は、本発明の実施形態によるポータブル端末でアプリケーションの駆動短縮サービスを設定するための手続きを説明するためのフローチャートである。
図２を参照すると、制御部１００はＳ２０１段階で短縮サービス設定イベントが発生したのか否かを確認する。
【００２５】
例えば、ポータブル端末が図１のように構成される場合、制御部１００はポータブル端末の入力部１０２又は表示部１０６を通じてユーザーが短縮サービス設定メニューを選択するのかを確認する。
短縮サービス設定イベントが発生しない場合、制御部１００は本アルゴリズムを終了する。
【００２６】
一方、短縮サービス設定イベントが発生した場合、制御部１００はＳ２０３段階に進行して予め設定された短縮サービスのボタンにマッピング可能なアプリケーションリストを表示する。
例えば、制御部１００は、短縮サービスのボタンにマッピング可能な少なくとも一つのアプリケーションを表示部１０６に表示する。ここで、短縮サービスのボタンはポータブル端末を構成するボタンたちの中で短縮サービスを提供するためのアプリケーションをマッピングすることができる少なくとも一つのボタンを備える。
【００２７】
例えば、短縮サービスのボタンは、電源ボタン、ホームボタン、ボリューム調節ボタンなどのハードウェアボタンを備える。
別の例として、短縮サービスのボタンは、ポータブル端末がタッチスクリーンを備える場合、タッチスクリーンを通じて示すことができる少なくとも一つのソフトウェアボタン、及び少なくとも一つのアイコンの中で短縮サービスのためのサービスをマッピングすることができる少なくとも一つのソフトウェアボタン又は少なくとも一つのアイコンを備えることもできる。
以下の説明では、短縮サービスのボタンは、ハードウェアボタンを用いることと仮定する。
【００２８】
短縮サービスのボタンにマッピング可能なアプリケーションリストを表示した後、制御部１００は、Ｓ２０５段階に進行してアプリケーションリストに含まれている少なくとも一つのアプリケーションの中から短縮サービスのボタンにマッピングするいずれか一つのアプリケーションを確認する。
例えば、制御部１００は、表示部１０６に表示している少なくとも一つのアプリケーションの中からポータブル端末のユーザーによって選択されたいずれか一つのアプリケーションを短縮サービスのボタンにマッピングするアプリケーションと認識する。
【００２９】
短縮サービスのボタンにマッピングするアプリケーションを確認した後、制御部１００は、Ｓ２０７段階に進行して短縮サービスのボタンと短縮サービスのボタンにマッピングされたアプリケーション情報を保存する。
以後、制御部１００は、本アルゴリズムを終了する。
【００３０】
上述の実施形態で、制御部１００は、短縮サービスのボタンにマッピング可能なアプリケーションリストを表示した後、選択されたアプリケーションを短縮サービスのボタンにマッピングするアプリケーションと認識する。
他の実施形態として、短縮サービスのボタンにマッピングするアプリケーションをユーザーが直接に入力することもできる。
【００３１】
上述の実施形態で、制御部１００は、予め設定された短縮サービスのボタンにマッピングするアプリケーションを確認する。
他の実施形態として、制御部１００は、短縮サービスのボタン入力の回数又は短縮サービスのボタン入力の持続時間を考慮してアプリケーションをマッピングすることもできる。
また、他の実施形態として、アプリケーションの駆動短縮サービスのための短縮サービスのボタンも選択することができる。
【００３２】
図３は、本発明の実施形態によるポータブル端末でアプリケーションの駆動短縮サービスのための短縮サービスのボタンを確認するための手続きを説明するためのフローチャートである。
図３を参照すると、制御部１００は、Ｓ３０１段階で短縮サービス設定イベントが発生したのか否かを確認する。
【００３３】
例えば、ポータブル端末が図１のように構成される場合、制御部１００は、ポータブル端末の入力部１０２又は表示部１０６を通じてユーザーが短縮サービス設定メニューを選択するのかを確認する。
短縮サービス設定イベントが発生していない場合、制御部１００は、本アルゴリズムを終了する。
【００３４】
一方、短縮サービス設定イベントが発生した場合、制御部１００は、Ｓ３０３段階に進行して短縮サービスのボタンとして使用可能なボタンリストを表示部１０６に表示する。
ここで、短縮サービスのボタンは、短縮サービスを提供するためのアプリケーションをマッピングすることができるボタンを意味する。
また、短縮サービスのボタンとして使用可能なボタンリストは、ポータブル端末を構成するボタンたちの中で少なくとも一つのボタンを備える。
【００３５】
短縮サービスのボタンとして使用可能なボタンリストを表示した後、制御部１００は、Ｓ３０５段階に進行して短縮サービスのボタンで用いるボタンを確認する。
例えば、制御部１００は、表示部１０６に表示している短縮サービスのボタンとして使用可能なボタンリストの中からポータブル端末のユーザーによって選択されたボタンを短縮サービスのボタンと認識する。
【００３６】
短縮サービスのボタンで用いるボタンを確認した後、制御部１００は、Ｓ３０７段階に進行して短縮サービスのボタンにマッピング可能なアプリケーションリストを表示する。
例えば、制御部１００は、短縮サービスのボタンにマッピング可能な少なくとも一つのアプリケーションを表示部１０６に表示する。
【００３７】
短縮サービスのボタンにマッピング可能なアプリケーションリストを表示した後、制御部１００は、Ｓ３０９段階に進行してアプリケーションリストに含まれている少なくとも一つのアプリケーションの中から短縮サービスのボタンにマッピングするいずれか一つのアプリケーションを確認する。
例えば、制御部１００は、表示部１０６に表示している少なくとも一つのアプリケーションの中からポータブル端末のユーザーによって選択されたアプリケーションを短縮サービスのボタンにマッピングするアプリケーションと認識する。
【００３８】
短縮サービスのボタンにマッピングするアプリケーションを確認した後、制御部１００は、Ｓ３１１段階に進行して短縮サービスのボタンと短縮サービスのボタンにマッピングされたアプリケーション情報を保存する。
以後、制御部１００は、本アルゴリズムを終了する。
【００３９】
上述の実施形態で、制御部１００は、短縮サービスのボタンとして使用可能なボタンリストを表示した後、選択されたボタンを短縮サービスのボタンと認識する。
他の実施形態として、短縮サービスのボタンで用いるボタンをユーザーが直接に入力することもできる。
上述のように制御部１００は、アプリケーションの駆動短縮サービスを設定する。
他の実施形態として、制御部１００は、下記にて図４を参照して説明するように、アプリケーションを駆動中に他のアプリケーションの駆動のための短縮サービスを設定することもできる。
【００４０】
図４は、本発明の実施形態によるアプリケーションを駆動しているポータブル端末で他のアプリケーションの駆動のための短縮サービスを設定するための手続きを説明するためのフローチャートである。
【００４１】
図４を参照すると、制御部１００は、Ｓ４０１段階で短縮サービス設定イベントが発生したのか否かを確認する。
例えば、ポータブル端末が図１のように構成される場合、制御部１００は、ポータブル端末の入力部１０２又は表示部１０６を通じてユーザーが短縮サービス設定メニューを選択するのかを確認する。
短縮サービス設定イベントが発生していない場合、制御部１００は、本アルゴリズムを終了する。
【００４２】
一方、短縮サービス設定イベントが発生した場合、制御部１００は、Ｓ４０３段階に進行して短縮サービスを利用するためのアプリケーションリストを表示する。
例えば、制御部１００は、短縮サービスを利用するための少なくとも一つのアプリケーションを表示部１０６に表示する。
【００４３】
短縮サービスを利用するためのアプリケーションリストを表示した後、制御部１００は、Ｓ４０５段階に進行して短縮サービスを利用するためのアプリケーションを確認する。
例えば、制御部１００は、表示部１０６に表示している少なくとも一つのアプリケーションの中からポータブル端末のユーザーによって選択されたアプリケーションを短縮サービスを利用するためのアプリケーションと認識する。
【００４４】
短縮サービスを利用するためのアプリケーションを確認した後、制御部１００は、Ｓ４０７段階に進行して短縮サービスのボタンとして使用可能なボタンリストを表示部１０６に表示する。
ここで、短縮サービスのボタンは、短縮サービスを提供するためのアプリケーションをマッピングすることができるボタンを意味する。
【００４５】
短縮サービスのボタンとして使用可能なボタンリストを表示した後、制御部１００は、Ｓ４０９段階に進行して短縮サービスのボタンで用いるボタンを確認する。
例えば、制御部１００は、表示部１０６に表示している少なくとも一つのボタンの中からポータブル端末のユーザーによって選択されたボタンを短縮サービスのボタンと認識する。
【００４６】
短縮サービスのボタンで用いるボタンを確認した後、制御部１００は、Ｓ４１１段階に進行して短縮サービスのボタンにマッピング可能なアプリケーションリストを表示する。
例えば、制御部１００は、短縮サービスのボタンにマッピング可能な少なくとも一つのアプリケーションを表示部１０６に表示する。
【００４７】
短縮サービスのボタンにマッピング可能なアプリケーションリストを表示した後、制御部１００は、Ｓ４１３段階に進行してアプリケーションリストに含まれている少なくとも一つのアプリケーションの中から短縮サービスのボタンにマッピングするいずれか一つのアプリケーションを確認する。
例えば、制御部１００は、表示部１０６に表示している少なくとも一つのアプリケーションの中からポータブル端末のユーザーによって選択されたアプリケーションを短縮サービスのボタンにマッピングするアプリケーションと認識する。
【００４８】
短縮サービスのボタンにマッピングするアプリケーションを確認した後、制御部１００は、Ｓ４１５段階に進行して短縮サービスのボタンと短縮サービスのボタンにマッピングされたアプリケーション情報を保存する。
以後、制御部１００は、本アルゴリズムを終了する。
【００４９】
上述の実施形態では、制御部１００は、短縮サービス設定イベントが発生すれば、短縮サービスを提供するアプリケーションを確認する。
他の実施形態として、制御部１００は、アプリケーションを駆動中に短縮サービス設定イベントが発生すれば、駆動しているアプリケーションに対する短縮サービスを設定することもできる。
上述のように、ポータブル端末でアプリケーションの駆動短縮サービスを設定している場合、制御部１００は、下記にて図５を参照して説明するように、アプリケーションの駆動短縮サービスを提供することができる。
【００５０】
図５は、本発明の実施形態によるポータブル端末でアプリケーションの駆動短縮サービスを提供するための手続きを説明するためのフローチャートである。
図５を参照すると、制御部１００は、Ｓ５０１段階でアプリケーションの駆動短縮サービスが設定されているか否かを確認する。
【００５１】
例えば、ポータブル端末が図１のように構成される場合、制御部１００は、ポータブル端末のユーザーによって設定されたアプリケーションの駆動短縮サービスに対する設定情報が存在するのかを確認する。
アプリケーションの駆動短縮サービスが設定されていない場合、制御部１００は、本アルゴリズムを終了する。
【００５２】
一方、アプリケーションの駆動短縮サービスが設定されている場合、制御部１００は、Ｓ５０３段階に進行して短縮サービスのボタン入力イベントが発生したのか否かを確認する。
例えば、制御部１００は、ユーザーによって短縮サービスのボタンが入力されたのかを確認する。
短縮サービスのボタン入力イベントが発生していない場合、制御部１００は、本アルゴリズムを終了する。
【００５３】
一方、短縮サービスのボタン入力イベントが発生した場合、制御部１００は、Ｓ５０５段階に進行して短縮サービスのボタンにマッピングされたアプリケーションを確認する。
以後、制御部１００は、Ｓ５０７段階に進行して短縮サービスのボタンにマッピングされたアプリケーションを駆動する。
【００５４】
これによって、制御部１００は、Ｓ５０３段階で短縮サービスのボタンにマッピングされたアプリケーションの駆動画面を表示部１０６に表示する。
例えば、ポータブル端末の電源ボタンにインターネットプログラムがマッピングされた場合、制御部１００は、電源ボタンが入力されたかどうかを確認する。
もし、ポータブル端末の電源ボタンが押されたならば、制御部１００は、電源ボタンにマッピングされたインターネットプログラムの駆動画面を表示部１０６に表示する。
以後、制御部１００は本アルゴリズムを終了する。
【００５５】
上述の実施形態では、制御部１００は、短縮サービスのボタンにマッピングされたアプリケーションを駆動する。
他の実施形態として、制御部１００は、短縮サービスのボタン入力の回数を考慮してアプリケーションの駆動短縮サービスを提供することもできる。
【００５６】
図６は、本発明の実施形態によるポータブル端末で短縮サービスのボタン入力の回数を考慮してアプリケーションの駆動短縮サービスを提供するための手続きを説明するためのフローチャートである。
図６を参照すると、制御部１００は、Ｓ６０１段階でアプリケーションの駆動短縮サービスが設定されているか否かを確認する。
【００５７】
例えば、ポータブル端末が図１のように構成される場合、制御部１００は、ポータブル端末のユーザーによって設定されたアプリケーションの駆動短縮サービスに対する設定情報が存在するのかを確認する。
アプリケーションの駆動短縮サービスが設定されていない場合、制御部１００は、本アルゴリズムを終了する。
【００５８】
一方、アプリケーションの駆動短縮サービスが設定されている場合、制御部１００は、Ｓ６０３段階に進行して短縮サービスのボタン入力イベントが発生したか否かを確認する。
例えば、制御部１００は、ユーザーによって短縮サービスのボタンが入力された否かを確認する。
短縮サービスのボタン入力イベントが発生していない場合、制御部１００は、本アルゴリズムを終了する。
【００５９】
一方、短縮サービスのボタン入力イベントが発生した場合、制御部１００は、Ｓ６０５段階に進行して短縮サービスのボタン入力の回数を確認する。
例えば、制御部１００は、Ｓ６０３段階でユーザーによって短縮サービスのボタンが押される時、１回、２回、３回などのボタンが押された回数を確認する。
以後、制御部１００は、Ｓ６０７段階に進行して短縮サービスのボタン入力の回数に応じてマッピングされたアプリケーションを確認する。
【００６０】
以後、制御部１００は、Ｓ６０９段階に進行して短縮サービスのボタン入力の回数に応じてマッピングされたアプリケーションを駆動する。
これによって、制御部１００は、Ｓ６０３段階でユーザーによって入力された短縮サービスのボタン入力の回数に応じてマッピングされたアプリケーションの駆動画面を表示部１０６に表示する。
以後、制御部１００は、本アルゴリズムを終了する。
【００６１】
上述の実施形態では、制御部１００は、短縮サービスのボタン入力の回数を考慮してアプリケーションの駆動短縮サービスを提供する。
他の実施形態として、制御部１００は、短縮サービスのボタン入力の持続時間を考慮してアプリケーションの駆動短縮サービスを提供することもできる。
【００６２】
図７は、本発明の実施形態によるポータブル端末で短縮サービスのボタン入力の持続時間を考慮してアプリケーションの駆動短縮サービスを提供するための手続きを説明するためのフローチャートである。
【００６３】
図７を参照すると、制御部１００は、Ｓ７０１段階でアプリケーションの駆動短縮サービスが設定されているか否かを確認する。
例えば、ポータブル端末が図１のように構成される場合、制御部１００は、ポータブル端末のユーザーによって設定されたアプリケーションの駆動短縮サービスに対する設定情報が存在するのかどうかを確認する。
アプリケーションの駆動短縮サービスが設定されていない場合、制御部１００は本アルゴリズムを終了する。
【００６４】
一方、アプリケーションの駆動短縮サービスが設定されている場合、制御部１００は、Ｓ７０３段階に進行して短縮サービスのボタン入力イベントが発生したのか否かを確認する。
例えば、ポータブル端末が図１のように構成される場合、制御部１００は、ユーザーによって短縮サービスのボタンが入力されたのか否かを確認する。
短縮サービスのボタン入力イベントが発生していない場合、制御部１００は、本アルゴリズムを終了する。
【００６５】
一方、短縮サービスのボタン入力イベントが発生した場合、制御部１００は、Ｓ７０５段階に進行して短縮サービスのボタン入力の持続時間を確認する。
例えば、制御部１００は、Ｓ７０３段階でユーザーによって短縮サービスのボタンが押された時、２秒以上５秒未満、５秒以上１０秒未満、などのボタンが押された持続時間を確認する。
【００６６】
以後、制御部１００は、Ｓ７０７段階に進行して短縮サービスのボタン入力の持続時間に応じてマッピングされたアプリケーションを確認する。
以後、制御部１００は、Ｓ７０９段階に進行して短縮サービスのボタン入力の持続時間に応じてマッピングされたアプリケーションを駆動する。
これによって、制御部１００は、Ｓ７０３段階で短縮サービスのボタン入力の持続時間に応じてマッピングされたアプリケーションの駆動画面を表示部１０６に表示する。
以後、制御部１００は、本アルゴリズムを終了する。
【００６７】
上述のように制御部１００は、アプリケーションの駆動短縮サービスを提供する。
以下の説明は、アプリケーションを駆動しているポータブル端末で他のアプリケーションの駆動のための短縮サービスを提供する手続きを説明する。
【００６８】
図８は、本発明の実施形態によるアプリケーションを駆動しているポータブル端末で他のアプリケーションの駆動のための短縮サービスを提供するための手続きを説明するためのフローチャートである。
図８を参照すると、制御部１００は、Ｓ８０１段階で短縮サービスを提供するアプリケーションを駆動する。
【００６９】
以後、制御部１００は、Ｓ８０３段階でアプリケーションの駆動短縮サービスが設定されているか否かを確認する。
例えば、ポータブル端末が図１のように構成される場合、制御部１００は、ポータブル端末のユーザーによって設定されたアプリケーションの駆動短縮サービスに対する設定情報が存在するか否かを確認する。
アプリケーションの駆動短縮サービスが設定されていない場合、制御部１００は、本アルゴリズムを終了する。
【００７０】
一方、アプリケーションの駆動短縮サービスが設定されている場合、制御部１００は、Ｓ８０５段階に進行して短縮サービスのボタン入力イベントが発生したのか否かを確認する。
例えば、制御部１００は、ユーザーによって短縮サービスのボタンが入力されたか否かを確認する。
短縮サービスのボタン入力イベントが発生していない場合、制御部１００は、本アルゴリズムを終了する。
【００７１】
一方、短縮サービスのボタン入力イベントが発生した場合、制御部１００は、Ｓ８０７段階に進行して短縮サービスのボタンにマッピングされたアプリケーションを確認する。
以後、制御部１００は、Ｓ８０９段階に進行して短縮サービスのボタンにマッピングされたアプリケーションを駆動する。
これによって、制御部１００は、Ｓ８０５段階でユーザーによって入力された短縮サービスのボタンにマッピングされたアプリケーションの駆動画面を表示部１０６に表示する。
【００７２】
例えば、ポータブル端末の電源ボタンにインターネットプログラムがマッピングされた場合、制御部１００は、電源ボタンが入力されたか否かを確認する。
もし、ポータブル端末の電源ボタンが入力されたならば、制御部１００は、電源ボタンにマッピングされたインターネットプログラムの駆動画面を表示部１０６に表示する。
以後、制御部１００は、本アルゴリズムを終了する。
【００７３】
図９は、本発明の実施形態によるポータブル端末で制御モード設定の短縮サービスを設定するための手続きを説明するためのフローチャートである。
図９を参照すると、制御部１００は、Ｓ９０１段階で短縮サービス設定イベントが発生したのか否かを確認する。
【００７４】
例えば、ポータブル端末が図１のように構成される場合、制御部１００は、ポータブル端末の入力部１０２又は表示部１０６を通じてユーザーが短縮サービス設定メニューを選択したのか否かを確認する。
短縮サービス設定イベントが発生していない場合、制御部１００は、本アルゴリズムを終了する。
【００７５】
一方、短縮サービス設定イベントが発生した場合、制御部１００は、Ｓ９０３段階に進行して予め設定された短縮サービスのボタンにマッピング可能な制御モードリストを表示する。
例えば、制御部１００は、図１０に示すように、ユーザーがクイックパネルを下げるようにすると、短縮サービスのボタンにマッピング可能な少なくとも一つの制御モードを表示部１０６に表示する。ここで、短縮サービスのボタンはポータブル端末を構成するボタンたちの中で短縮サービスを提供するための制御モードをマッピングすることができる少なくとも一つのボタンを備える。
【００７６】
短縮サービスのボタンにマッピング可能な制御モードリストを表示した後、制御部１００は、Ｓ９０５段階に進行して制御モードリストに含まれている少なくとも一つの制御モードの中から短縮サービスのボタンにマッピングするいずれか一つの制御モードを確認する。
例えば、制御部１００は、図１０に示すように、表示部１０６に表示している少なくとも一つの制御モードの中からポータブル端末のユーザーによって選択されたブルートゥース（登録商標）モード１００１を短縮サービス設定領域１００５にドラッグする（符号１００３）と、短縮サービスのボタンにマッピングする制御モードと認識する。
【００７７】
短縮サービスのボタンにマッピングする制御モードを確認した後、制御部１００は、Ｓ９０７段階に進行して短縮サービスのボタンと短縮サービスのボタンにマッピングされた制御モード情報を保存する。
以後、制御部１００は、本アルゴリズムを終了する。
【００７８】
上述の実施形態では、制御部１００は、短縮サービスのボタンにマッピング可能な制御モードリストを表示した後、選択された制御モードを短縮サービスのボタンにマッピングする制御モードと認識する。
他の実施形態として、短縮サービスのボタンにマッピングする制御モードをユーザーが直接に入力することもできる。
【００７９】
上述の実施形態では、制御部１００は、予め設定された短縮サービスのボタンにマッピングする制御モードを確認する。
他の実施形態として、制御部１００は、短縮サービスのボタン入力の回数又は短縮サービスのボタン入力の持続時間を考慮して制御モードをマッピングすることもできる。
また、他の実施形態として、制御モード設定の短縮サービスのための短縮サービスのボタンも設定することができる。
【００８０】
図１１は、本発明の実施形態によるポータブル端末で制御モード設定の短縮サービスのための短縮サービスのボタンを確認するための手続きを説明するためのフローチャートである。
図１１を参照すると、制御部１００は、Ｓ１１０１段階で短縮サービス設定イベントが発生したか否かを確認する。
【００８１】
例えば、ポータブル端末が図１のように構成される場合、制御部１００は、ポータブル端末の入力部１０２又は表示部１０６を通じてユーザーが短縮サービス設定メニューを選択したのか否かを確認する。
短縮サービス設定イベントが発生していない場合、制御部１００は、本アルゴリズムを終了する。
【００８２】
一方、短縮サービス設定イベントが発生した場合、制御部１００は、Ｓ１１０３段階に進行して短縮サービスのボタンとして使用可能なボタンリストを表示部１０６に表示する。
ここで、短縮サービスのボタンは、短縮サービスを提供するためのアプリケーションをマッピングすることができるボタンを意味する。また、短縮サービスのボタンとして使用可能なボタンリストは、ポータブル端末を構成するボタンたちの中で少なくとも一つのボタンを備える。
【００８３】
短縮サービスのボタンとして使用可能なボタンリストを表示した後、制御部１００は、Ｓ１１０５段階に進行して短縮サービスのボタンで用いるボタンを確認する。
例えば、制御部１００は、表示部１０６に表示した短縮サービスのボタンとして使用可能なボタンリストの中からポータブル端末のユーザーによって選択されたボタンを短縮サービスのボタンと設定する。
【００８４】
短縮サービスのボタンで用いるボタンを確認した後、制御部１００は、Ｓ１１０７段階に進行して短縮サービスのボタンにマッピング可能な制御モードリストを表示する。
例えば、制御部１００は、短縮サービスのボタンにマッピング可能な少なくとも一つの制御モードを表示部１０６に表示する。
【００８５】
短縮サービスのボタンにマッピング可能な制御モードリストを表示した後、制御部１００は、Ｓ１１０９段階に進行してアプリケーションリストに含まれている少なくとも一つのアプリケーションの中から短縮サービスのボタンにマッピングするいずれか一つの制御モードを確認する。
例えば、制御部１００は、表示部１０６に表示している少なくとも一つの制御モードの中からポータブル端末のユーザーによって選択された制御モードを短縮サービスのボタンにマッピングする制御モードと認識する。
【００８６】
短縮サービスのボタンにマッピングする制御モードを確認した後、制御部１００は、Ｓ１１１１段階に進行して短縮サービスのボタンと短縮サービスのボタンにマッピングされた制御モード情報を保存する。
以後、制御部１００は、本アルゴリズムを終了する。
【００８７】
上述の実施形態では、制御部１００は、短縮サービスのボタンとして使用可能なボタンリストを表示した後、選択されたボタンを短縮サービスのボタンと認識する。
他の実施形態として、短縮サービスのボタンで用いるボタンをユーザーが直接に入力することもできる。
上述のように、制御部１００は、制御モード設定の短縮サービスを設定する。
他の実施形態として、制御部１００は、下記にて図１２を参照して説明するように、アプリケーションを駆動中に制御モード設定のための短縮サービスを設定することもできる。
【００８８】
図１２は、本発明の実施形態によるアプリケーションを駆動しているポータブル端末で制御モード設定のための短縮サービスを設定するための手続きを説明するためのフローチャートである。
図１２を参照すると、制御部１００は、Ｓ１２０１段階で短縮サービス設定イベントが発生したか否かを確認する。
【００８９】
例えば、ポータブル端末が図１のように構成される場合、制御部１００は、ポータブル端末の入力部１０２又は表示部１０６を通じてユーザーが短縮サービス設定メニューを選択したか否かを確認する。
短縮サービス設定イベントが発生していない場合、制御部１００は、本アルゴリズムを終了する。
【００９０】
一方、短縮サービス設定イベントが発生した場合、制御部１００は、Ｓ１２０３段階に進行して短縮サービスを利用するためのアプリケーションリストを表示する。
例えば、制御部１００は、短縮サービスを利用するための少なくとも一つのアプリケーションを表示部１０６に表示する。
【００９１】
短縮サービスを利用するためのアプリケーションリストを表示した後、制御部１００は、Ｓ１２０５段階に進行して短縮サービスを利用するためのアプリケーションを確認する。
例えば、制御部１００は、表示部１０６に表示している少なくとも一つのアプリケーションの中からポータブル端末のユーザーによって選択されたアプリケーションを短縮サービスを利用するためのアプリケーションと認識する。
【００９２】
短縮サービスを利用するためのアプリケーションを確認した後、制御部１００は、Ｓ１２０７段階に進行して短縮サービスのボタンとして使用可能なボタンリストを表示部１０６に表示する。
ここで、短縮サービスのボタンは、短縮サービスを提供するための制御モードをマッピングすることができるボタンを意味する。
【００９３】
短縮サービスのボタンとして使用可能なボタンリストを表示した後、制御部１００は、Ｓ１２０９段階に進行して短縮サービスのボタンで用いるボタンを確認する。
例えば、制御部１００は、表示部１０６に表示している少なくとも一つのボタンの中からポータブル端末のユーザーによって選択されたボタンを短縮サービスのボタンと認識する。
【００９４】
短縮サービスのボタンで用いるボタンを確認した後、制御部１００は、Ｓ１２１１段階に進行して短縮サービスのボタンにマッピング可能な制御モードリストを表示する。
例えば、制御部１００は、短縮サービスのボタンにマッピング可能な少なくとも一つの制御モードを表示部１０６に表示する。
【００９５】
短縮サービスのボタンにマッピング可能な制御モードリストを表示した後、制御部１００は、Ｓ１２１３段階に進行して制御モードリストに含まれている少なくとも一つの制御モードリストの中から短縮サービスのボタンにマッピングするいずれか一つの制御モードを確認する。
例えば、制御部１００は、表示部１０６に表示している少なくとも一つの制御モードの中からポータブル端末のユーザーによって選択された制御モードを短縮サービスのボタンにマッピングする制御モードと認識する。
【００９６】
短縮サービスのボタンにマッピングする制御モードを確認した後、制御部１００は、Ｓ１２１５段階に進行して短縮サービスのボタンと短縮サービスのボタンにマッピングされた制御モード情報を保存する。
以後、制御部１００は、本アルゴリズムを終了する。
【００９７】
上述の実施形態では、制御部１００は、短縮サービス設定イベントが発生すれば、短縮サービスを提供する制御モードを確認する。
他の実施形態として、制御部１００は、アプリケーションを駆動中に短縮サービス設定イベントが発生すれば、駆動しているアプリケーションに対する短縮サービスを設定することもできる。
上述のように、ポータブル端末で制御モード設定の短縮サービスを設定している場合、制御部１００は、下記にて図１３を参照して説明するように、制御モード設定の短縮サービスを提供することができる。
【００９８】
図１３は、本発明の実施形態によるポータブル端末で制御モード設定の短縮サービスを提供するための手続きを説明するためのフローチャートである。
図１３を参照すると、制御部１００は、Ｓ１３０１段階で制御モード設定の短縮サービスが設定されているか否かを確認する。
【００９９】
例えば、ポータブル端末が図１のように構成される場合、制御部１００は、ポータブル端末のユーザーによって設定された制御モード設定の短縮サービスに対する設定情報が存在するのか否かを確認する。
制御モード設定の短縮サービスが設定されていない場合、制御部１００は、本アルゴリズムを終了する。
【０１００】
一方、制御モード設定の短縮サービスが設定されている場合、制御部１００は、Ｓ１３０３段階に進行して短縮サービスのボタン入力イベントが発生したのか否かを確認する。
例えば、制御部１００は、ユーザーによって短縮サービスのボタンが入力されたか否かを確認する。
短縮サービスのボタン入力イベントが発生していない場合、制御部１００は、本アルゴリズムを終了する。
【０１０１】
一方、短縮サービスのボタン入力イベントが発生した場合、制御部１００は、Ｓ１３０５段階に進行して短縮サービスのボタンにマッピングされた制御モードを確認する。
以後、制御部１００は、Ｓ１３０７段階に進行して短縮サービスのボタンにマッピングされた制御モードを設定する。
【０１０２】
例えば、ポータブル端末の電源ボタンにマナーモードがマッピングされた場合、制御部１００は、電源ボタンが入力されたか否かを確認する。
もし、ポータブル端末の電源ボタンが押されたならば、制御部１００は、電源ボタンにマッピングされたマナーモードを設定する。
以後、制御部１００は、本アルゴリズムを終了する。
【０１０３】
上述の実施形態では、制御部１００は、短縮サービスのボタンにマッピングされた制御モードを設定する。
他の実施形態として、制御部１００は、短縮サービスのボタン入力の回数を考慮して制御モード設定の短縮サービスを提供することもできる。
【０１０４】
図１４は、本発明の実施形態によるポータブル端末で短縮サービスのボタン入力の回数を考慮して制御モード設定の短縮サービスを提供するための手続きを説明するためのフローチャートである。
図１４を参照すると、制御部１００は、Ｓ１４０１段階で制御モード設定の短縮サービスが設定されているか否かを確認する。
【０１０５】
例えば、ポータブル端末が図１のように構成される場合、制御部１００は、ポータブル端末のユーザーによって設定された制御モード設定の短縮サービスに対する設定情報が存在するのか否かを確認する。
制御モード設定の短縮サービスが設定されていない場合、制御部１００は、本アルゴリズムを終了する。
【０１０６】
一方、制御モード設定の短縮サービスが設定されている場合、制御部１００は、Ｓ１４０３段階に進行して短縮サービスのボタン入力イベントが発生したのか否かを確認する。
例えば、制御部１００は、ユーザーによって短縮サービスのボタンが入力されたか否かを確認する。
短縮サービスのボタン入力イベントが発生していない場合、制御部１００は、本アルゴリズムを終了する。
【０１０７】
一方、短縮サービスのボタン入力イベントが発生した場合、制御部１００は、Ｓ１４０５段階に進行して短縮サービスのボタン入力の回数を確認する。
例えば、制御部１００は、Ｓ１４０３段階でユーザーによって短縮サービスのボタンが押される時、１回、２回、３回などのボタンが押された回数を確認する。
【０１０８】
以後、制御部１００は、Ｓ１４０７段階に進行して短縮サービスのボタン入力の回数に応じてマッピングされた制御モードを確認する。
以後、制御部１００は、Ｓ１４０９段階に進行して短縮サービスのボタン入力の回数に応じてマッピングされた制御モードを設定する。
以後、制御部１００は、本アルゴリズムを終了する。
【０１０９】
上述の実施形態では、制御部１００は、短縮サービスのボタン入力の回数を考慮して制御モード設定の短縮サービスを提供する。
他の実施形態として、制御部１００は、短縮サービスのボタン入力の持続時間を考慮して制御モード設定の短縮サービスを提供することもできる。
【０１１０】
図１５は、本発明の実施形態によるポータブル端末で短縮サービスのボタン入力の持続時間を考慮して制御モード設定の短縮サービスを提供するための手続きを説明するためのフローチャートである。
図１５を参照すると、制御部１００は、Ｓ１５０１段階で制御モード設定の短縮サービスが設定されているか否かを確認する。
【０１１１】
例えば、ポータブル端末が図１のように構成される場合、制御部１００は、ポータブル端末のユーザーによって設定された制御モード設定の短縮サービスに対する設定情報が存在するのか否かを確認する。
制御モード設定の短縮サービスが設定されていない場合、制御部１００は、本アルゴリズムを終了する。
【０１１２】
一方、制御モード設定の短縮サービスが設定されている場合、制御部１００は、Ｓ１５０３段階に進行して短縮サービスのボタン入力イベントが発生したか否かを確認する。
例えば、ポータブル端末が図１のように構成される場合、制御部１００は、ユーザーによって短縮サービスのボタンが入力されたか否かを確認する。
短縮サービスのボタン入力イベントが発生しない場合、制御部１００は、本アルゴリズムを終了する。
【０１１３】
一方、短縮サービスのボタン入力イベントが発生した場合、制御部１００は、Ｓ１５０５段階に進行して短縮サービスのボタン入力の持続時間を確認する。
例えば、制御部１００は、Ｓ１５０３段階でユーザーによって短縮サービスのボタンが押される時、２秒以上５秒未満、５秒以上１０秒未満などのボタンが押された持続時間を確認する。
【０１１４】
以後、制御部１００は、Ｓ１５０７段階に進行して短縮サービスのボタン入力の持続時間に応じてマッピングされた制御モードを確認する。
以後、制御部１００は、Ｓ１５０９段階に進行して短縮サービスのボタン入力の持続時間に応じてマッピングされた制御モードを設定する。
以後、制御部１００は、本アルゴリズムを終了する。
【０１１５】
上述のように、制御部１００は、制御モード設定の短縮サービスを提供する。
以下の説明は、アプリケーションを駆動しているポータブル端末で制御モード設定のための短縮サービスを提供する手続きを説明する。
【０１１６】
図１６は、本発明の実施形態によるアプリケーションを駆動しているポータブル端末で制御モード設定のための短縮サービスを提供するための手続きを説明するためのフローチャートである。
図１６を参照すると、制御部１００は、Ｓ１６０１段階で短縮サービスを提供するアプリケーションを駆動する。
【０１１７】
以後、制御部１００は、Ｓ１６０３段階で制御モード設定の短縮サービスが設定されているか否かを確認する。
例えば、ポータブル端末が図１のように構成される場合、制御部１００は、ポータブル端末のユーザーによって設定された制御モード設定の短縮サービスに対する設定情報が存在するのか否かを確認する。
制御モード設定の短縮サービスが設定されていない場合、制御部１００は、本アルゴリズムを終了する。
【０１１８】
一方、制御モード設定の短縮サービスが設定されている場合、制御部１００は、Ｓ１６０５段階に進行して短縮サービスのボタン入力イベントが発生したか否かを確認する。
例えば、制御部１００は、ユーザーによって短縮サービスのボタンが入力されたか否かを確認する。
短縮サービスのボタン入力イベントが発生していない場合、制御部１００は、本アルゴリズムを終了する。
【０１１９】
一方、短縮サービスのボタン入力イベントが発生した場合、制御部１００は、Ｓ１６０７段階に進行して短縮サービスのボタンにマッピングされた制御モードを確認する。
以後、制御部１００は、Ｓ１６０９段階に進行して短縮サービスのボタンにマッピングされた制御モードを設定する。
【０１２０】
例えば、ポータブル端末の電源ボタンにマナーモードがマッピングされた場合、制御部１００は、電源ボタンが入力されたか否かを確認する。
もし、ポータブル端末の電源ボタンが押されたならば、制御部１００は、電源ボタンにマッピングされたマナーモードを設定する。
以後、制御部１００は、本アルゴリズムを終了する。
【０１２１】
上述のように、ポータブル端末で短縮サービスのボタン入力イベントが発生した場合、短縮サービスのボタンにマッピングされたアプリケーションを駆動することで、ポータブル端末でユーザーが必要なアプリケーションを簡単に駆動又は設定することができる利点がある。
また、ポータブル端末で短縮サービスのボタン入力イベントが発生した場合、短縮サービスのボタンにマッピングされた制御モードを設定することで、ポータブル端末でユーザーが必要な制御モードを簡単に設定することができる利点がある。
【０１２２】
尚、本発明は、上述の実施形態に限られるものではない。本発明の技術的範囲から逸脱しない範囲内で多様に変更実施することが可能である。
【符号の説明】
【０１２３】
１００    制御部
１０２    入力部
１０４    通信部
１０６    表示部
１０８    保存部
１１０    オーディオ信号処理部
１１２    プログラム保存部
【図１】
0005685765.tif 000002
【図２】
0005685765.tif 000003
【図３】
0005685765.tif 000004
【図４】
0005685765.tif 000005
【図５】
0005685765.tif 000006
【図６】
0005685765.tif 000007
【図７】
0005685765.tif 000008
【図８】
0005685765.tif 000009
【図９】
0005685765.tif 000010
【図１０】
0005685765.tif 000011
【図１１】
0005685765.tif 000012
【図１２】
0005685765.tif 000013
【図１３】
0005685765.tif 000014
【図１４】
0005685765.tif 000015
【図１５】
0005685765.tif 000016
【図１６】
0005685765.tif 000017